(57)【要約】【課題】  対応する照明器具に何ら、特有の取付部位の増設を要求しない照明器具用センサブロックを提供する。【解決手段】  照明器具用センサブロックＡ−１は、人の在、不在を検知する人感センサ部１を内蔵する照明器具用センサブロックであって、既存照明器具Ｂ−１の既存部位２ａに装着可能であり、且つ、この既存照明器具Ｂ−１に付加することにより、人感センサ部１における検知信号に基づいて、既存照明器具Ｂ−１の点滅制御をなし得るので、一種類の照明器具用センサブロックＡ−１のみを使用して、センサ付照明器具における点灯制御用センサの役割を担うようにすることが可能となる。【選択図】図２
2006012566.tif 000002
【特許請求の範囲】
【請求項１】
人の在、不在を検知する人感センサ部を内蔵する照明器具用センサブロックにおいて、既存照明器具の既存部位に装着可能であり、且つ、前記既存照明器具に付加することにより、前記人感センサ部における検知信号に基づいて、前記既存照明器具の点滅制御をなし得ることを特徴とする照明器具用センサブロック。
【請求項２】
前記既存部位が、電源穴であることを特徴とする請求項１記載の照明器具用センサブロック。
【請求項３】
前記既存部位が、ルーバであることを特徴とする請求項１記載の照明器具用センサブロック。
【発明の詳細な説明】
【技術分野】
【０００１】
本発明は、照明器具の点灯制御用センサ等を有する照明器具用センサブロックに関するものである。
【背景技術】
【０００２】
従来より、人感センサ等を使用した点灯制御用センサを、照明器具に搭載し、人の在、不在を検知して、当該照明器具を自動的に点灯、消灯させること等が行われている（例えば、特開２００１−３４５０１３号公報等参照）。この場合、点灯制御用センサの外観形状、取付構造、取付方法等に関しては、取り付けられる照明器具の種類、用途等に応じて、種々のものが知られているが、大別すれば、センサブロックと制御ブロックが一体となった一体型、または、センサブロック（下記図７では、照明器具用センサブロックＡ）と制御ブロック（下記図７では、照明器具Ｂ）とが分離した分離型に分類することができる。ここで、図７は、かかる点灯制御用センサ搭載照明器具の構成例を示すもので、（ａ）は、センサブロックと制御ブロックが一体となった一体型を模式的に示すブロック図、（ｂ）は、センサブロックと制御ブロックとが分離した分離型を模式的に示すブロック図である（但し、図７中、照明負荷部７は、ランプ８を含むものとする。）。
【０００３】
この場合において、照明器具の配置等を設計する際の検知範囲やランプとの干渉等の問題を考慮するならば、分離型が有利であると考えられる。しかし、かかる分離型を採用した場合には、現状、センサブロックの取付構造が一様でないため、センサブロックを照明器具本体に取り付けるためには、各照明器具毎に専用の取付治具、取付部位等が必要となり、結果的に部品点数の増加にもつながり易いという問題に直面する。一方、かかる問題に対する対応策としては、例えば、照明器具の対応するセンサブロックの取付構造を標準化すること等が有効であるとも考えられるが、仮に、センサブロックの取付構造を標準化しても、その標準化したセンサブロックの取付構造が、そのセンサブロックに対応する照明器具に、特有の外観形状を有する特有の取付部位等を必要とする場合等には、依然として上記部品点数の増加の問題は完全には解消されないこととなる。
【特許文献１】特開２００１−３４５０１３号公報
【発明の開示】
【発明が解決しようとする課題】
【０００４】
本発明は、上記背景技術に鑑みて発明されたものであり、その課題は、対応する照明器具に何ら、特有の取付部位の増設を要求しない照明器具用センサブロックを提供することである。
【課題を解決するための手段】
【０００５】
上記課題を解決するために、請求項１に係る発明の照明器具用センサブロックにあっては、人の在、不在を検知する人感センサ部を内蔵する照明器具用センサブロックにおいて、既存照明器具の既存部位に装着可能であり、且つ、前記既存照明器具に付加することにより、前記人感センサ部における検知信号に基づいて、前記既存照明器具の点滅制御をなし得ることを特徴とするものである。
【０００６】
請求項２に係る発明の照明器具用センサブロックにあっては、請求項１記載の照明器具用センサブロックにおいて、前記既存部位が、電源穴であることを特徴とするものである。
【０００７】
請求項３に係る発明の照明器具用センサブロックにあっては、請求項１記載の照明器具用センサブロックにおいて、前記既存部位が、ルーバであることを特徴とするものである。
【発明の効果】
【０００８】
本発明の照明器具用センサブロックでは、人の在、不在を検知する人感センサ部を内蔵する照明器具用センサブロックにおいて、既存照明器具の既存部位に装着可能であり、且つ、前記既存照明器具に付加することにより、前記人感センサ部における検知信号に基づいて、前記既存照明器具の点滅制御をなし得るので、本発明に係る一種類の照明器具用センサブロックのみを使用して、現行のセンサ付照明器具における点灯制御用センサの役割を担うようにすることが可能となり、また、この際、当該照明器具用センサブロックを対応する照明器具に取り付けるための取付金具等、当該照明器具用センサブロックに特有の取付部位等の補助部材を必要としないこととなる。さらに、この際の取付において、工具等を一切必要とせず、さらには、通常のセンサ機能を有していない既存の照明器具にも取付可能とすることも可能となる。
【発明を実施するための最良の形態】
【０００９】
以下、本発明の実施形態を図面に基づき、具体的に説明する。
【００１０】
［第１の実施形態］
図１は、本発明の第１の実施形態である照明器具用センサブロックＡ−１の外観の概略を示す斜視図である。一方、図２は、照明器具用センサブロックＡ−１の照明器具Ｂ−１への取付けの様子を概略的に示すもので、（ａ）は、取付け前の様子を概略的に示す斜視図、（ｂ）は、取付け後の様子を概略的に示す斜視図である。
【００１１】
すなわち、図１、図２に示すように、本発明の第１の実施形態である照明器具用センサブロックＡ−１は、人の在、不在を検知する人感センサ部１を内蔵する照明器具用センサブロックであり、既存照明器具Ｂ−１の既存部位２である電源穴２ａに装着可能であり、且つ、この既存照明器具Ｂ−１に付加することにより、人感センサ部１における検知信号に基づいて、既存照明器具Ｂ−１の点滅制御をなし得るので、本発明に係る一種類の照明器具用センサブロックＡ−１のみを使用して、現行のセンサ付照明器具Ｂ−１における点灯制御用センサの役割を担うようにすることが可能となるというものである。
【００１２】
また、この際、照明器具用センサブロックＡ−１は、照明器具Ｂ−１の既存部位２である電源穴２ａに装着するための取付け部位３ａを有するものの、既存照明器具Ｂ−１の側には、照明器具用センサブロックＡ−１を取り付けるための取付金具等、この照明器具用センサブロックＡ−１に特有の取付部位等の補助部材を必要としないこととなる。また、本実施形態においては、照明器具用センサブロックＡ−１と照明器具Ｂ−１との通信は、信号線４（図１参照）を介して行なわれるが、赤外線通信方式、無線方式等による実施形態も可能であることは勿論である。
【００１３】
［第２及び第３の実施形態］
図３は、本発明の第２の実施形態である照明器具用センサブロックＡ−２の照明器具Ｂ−２への取付けの様子を概略的に示すもので、（ａ）は、取付け前の様子を概略的に示す斜視図、（ｂ）は、取付け後の様子を概略的に示す斜視図である。一方、図４は、本発明の第３の実施形態である照明器具用センサブロックＡ−３の照明器具Ｂ−２への取付けの様子を概略的に示すもので、（ａ）は、取付け前の様子を概略的に示す斜視図、（ｂ）は、取付け後の様子を概略的に示す斜視図である。
【００１４】
すなわち、図３に示すように、本発明の第２の実施形態である照明器具用センサブロックＡ−２は、人の在、不在を検知する人感センサ部１を内蔵する照明器具用センサブロックであり、既存照明器具Ｂ−２の既存部位２である電源穴２ｂに装着可能であり、且つ、この既存照明器具Ｂ−２に付加することにより、人感センサ部１における検知信号に基づいて、既存照明器具Ｂ−２の点滅制御をなし得るので、本発明に係る一種類の照明器具用センサブロックＡ−２のみを使用して、現行のセンサ付照明器具Ｂ−２における点灯制御用センサの役割を担うようにすることが可能となるというものである。
【００１５】
また、この際、照明器具用センサブロックＡ−２は、照明器具Ｂ−２の既存部位２である電源穴２ｂに装着するための取付け部位３ｂを有するものの、既存照明器具Ｂ−２の側には、照明器具用センサブロックＡ−２を取り付けるための取付金具等、この照明器具用センサブロックＡ−２に特有の取付部位等の補助部材を必要としないこととなる。
【００１６】
一方、図４に示すように、本発明の第３の実施形態である本実施形態の照明器具用センサブロックＡ−３は、人の在、不在を検知する人感センサ部１を内蔵する照明器具用センサブロックであり、既存照明器具Ｂ−２の既存部位２である電源穴２ｂに装着可能であり、且つ、この既存照明器具Ｂ−２に付加することにより、人感センサ部１における検知信号に基づいて、既存照明器具Ｂ−２の点滅制御をなし得るので、本発明に係る一種類の照明器具用センサブロックＡ−３のみを使用して、現行のセンサ付照明器具Ｂ−２における点灯制御用センサの役割を担うようにすることが可能となるというものである。
【００１７】
また、この際、照明器具用センサブロックＡ−３は、照明器具Ｂ−２の既存部位２である電源穴２ｂに装着するための取付け部位３ｃを有するものの、既存照明器具Ｂ−２の側には、照明器具用センサブロックＡ−３を取り付けるための取付金具等、この照明器具用センサブロックＡ−３に特有の取付部位等の補助部材を必要としないこととなる。
【００１８】
［第４及び第５の実施形態］
図５は、本発明の第４の実施形態である照明器具用センサブロックＡ−４の照明器具Ｂ−３への取付けの様子を概略的に示すもので、（ａ）は、取付け前の様子を概略的に示す斜視図、（ｂ）は、取付け後の様子を概略的に示す斜視図である。一方、図６は、本発明の第５の実施形態である照明器具用センサブロックＡ−５の照明器具Ｂ−３への取付けの様子を概略的に示すもので、（ａ）は、取付け前の様子を概略的に示す斜視図、（ｂ）は、取付け後の様子を概略的に示す斜視図である。
【００１９】
すなわち、図５に示すように、本発明の第４の実施形態である照明器具用センサブロックＡ−４は、人の在、不在を検知する人感センサ部１を内蔵する照明器具用センサブロックであり、既存照明器具Ｂ−３の既存部位２であるルーバ２ｃに装着可能であり、且つ、この既存照明器具Ｂ−３に付加することにより、人感センサ部１における検知信号に基づいて、既存照明器具Ｂ−３の点滅制御をなし得るので、本発明に係る一種類の照明器具用センサブロックＡ−５のみを使用して、現行のセンサ付照明器具Ｂ−３における点灯制御用センサの役割を担うようにすることが可能となるというものである。
【００２０】
また、この際、照明器具用センサブロックＡ−４は、照明器具Ｂ−３の既存部位２であるルーバ２ｃに装着するための取付け部位３ｄを有するものの、既存照明器具Ｂ−３の側には、照明器具用センサブロックＡ−４を取り付けるための取付金具等、この照明器具用センサブロックＡ−４に特有の取付部位等の補助部材を必要としないこととなる。
【００２１】
一方、図６に示すように、本発明の第５の実施形態である本実施形態の照明器具用センサブロックＡ−５は、人の在、不在を検知する人感センサ部１を内蔵する照明器具用センサブロックであり、既存照明器具Ｂ−３の既存部位２であるルーバ２ｃに装着可能であり、且つ、この既存照明器具Ｂ−３に付加することにより、人感センサ部１における検知信号に基づいて、既存照明器具Ｂ−３の点滅制御をなし得るので、本発明に係る一種類の照明器具用センサブロックＡ−５のみを使用して、現行のセンサ付照明器具Ｂ−３における点灯制御用センサの役割を担うようにすることが可能となるというものである。
【００２２】
また、この際、照明器具用センサブロックＡ−５は、照明器具Ｂ−３の既存部位２であるルーバ２ｃに装着するための取付け部位３ｅを有するものの、既存照明器具Ｂ−３の側には、照明器具用センサブロックＡ−５を取り付けるための取付金具等、この照明器具用センサブロックＡ−５に特有の取付部位等の補助部材を必要としないこととなる。
【００２３】
以上のように、本発明の照明器具用センサブロックＡは、人の在、不在を検知する人感センサ部１を内蔵する照明器具用センサブロックにおいて、既存照明器具Ｂの既存部位２に装着可能であり、且つ、この既存照明器具Ｂに付加することにより、人感センサ部１における検知信号に基づいて、既存照明器具Ｂの点滅制御をなし得るので、本発明に係る一種類の照明器具用センサブロックＡのみを使用して、現行のセンサ付照明器具における点灯制御用センサの役割を担うようにすることが可能となるというものである。さらに、上記既存部位２を照明器具Ｂに既存の電源穴、或いは、ルーバとすることにより、既存照明器具Ｂの側には、照明器具用センサブロックＡを取り付けるための取付金具等、特有の取付部位等の補助部材を必要としない照明器具用センサブロックＡの既存照明器具Ｂへの装着が可能となることとなる。
【００２４】
また、上記照明器具用センサブロックＡの取付において、工具等を一切必要とせず、さらには、センサ機能を有していない通常の既存照明器具に対しても取付可能とすることもできる。一方、上記第１の実施形態で説明したように、照明器具用センサブロックＡ（Ａ−１〜Ａ−５）と照明器具Ｂ（Ｂ−１〜Ｂ−３）との通信は、上記実施形態においては、信号線４（図１参照）を介して行なわれるが、無線方式等による実施形態も可能であることは上記した通りである。
【００２５】
なお、本発明の照明器具用センサブロックは、上記の実施形態の照明器具用センサブロックＡ（Ａ−１〜Ａ−５）にのみ限定されるものではなく、本発明の要旨を逸脱しない範囲内において種々変更を加え得ることは勿論である。例えば、上記の実施形態の照明器具用センサブロックＡは、上記図７に示した構成例と同様、主として、人感センサ部１のみの機能を有するものであるが、例えば、人感センサ部１と制御部５の機能を有する構成等でもよく、上記課題解決に寄与する限りにおいて何ら制約のないことはいうまでもない。
【図面の簡単な説明】
【００２６】
【図１】本発明の第１の実施形態である照明器具用センサブロックＡ−１の外観の概略を示す斜視図である。
【図２】本発明の第１の実施形態である照明器具用センサブロックＡ−１の照明器具Ｂ−１への取付けの様子を概略的に示すもので、（ａ）は、取付け前の様子を概略的に示す斜視図、（ｂ）は、取付け後の様子を概略的に示す斜視図である。
【図３】本発明の第２の実施形態である照明器具用センサブロックＡ−２の照明器具Ｂ−２への取付けの様子を概略的に示すもので、（ａ）は、取付け前の様子を概略的に示す斜視図、（ｂ）は、取付け後の様子を概略的に示す斜視図である。
【図４】本発明の第３の実施形態である照明器具用センサブロックＡ−３の照明器具Ｂ−２への取付けの様子を概略的に示すもので、（ａ）は、取付け前の様子を概略的に示す斜視図、（ｂ）は、取付け後の様子を概略的に示す斜視図である。
【図５】本発明の第４の実施形態である照明器具用センサブロックＡ−４の照明器具Ｂ−３への取付けの様子を概略的に示すもので、（ａ）は、取付け前の様子を概略的に示す斜視図、（ｂ）は、取付け後の様子を概略的に示す斜視図である。
【図６】本発明の第５の実施形態である照明器具用センサブロックＡ−５の照明器具Ｂ−３への取付けの様子を概略的に示すもので、（ａ）は、取付け前の様子を概略的に示す斜視図、（ｂ）は、取付け後の様子を概略的に示す斜視図である。
【図７】点灯制御用センサ搭載照明器具の構成例を示すもので、（ａ）は、センサブロックと制御ブロックが一体となった一体型を模式的に示すブロック図、（ｂ）は、センサブロックと制御ブロックとが分離した分離型を模式的に示すブロック図である。
【符号の説明】
【００２７】
１    人感センサ部
２    既存部位（照明器具Ｂ）
２ａ  電源穴（照明器具Ｂ−１）
２ｂ  電源穴（照明器具Ｂ−２）
２ｃ  ルーバ（照明器具Ｂ−３）
３    取付け部位（照明器具用センサブロックＡ）
３ａ  取付け部位（照明器具用センサブロックＡ−１）
３ｂ  取付け部位（照明器具用センサブロックＡ−２）
３ｃ  取付け部位（照明器具用センサブロックＡ−３）
３ｄ  取付け部位（照明器具用センサブロックＡ−４）
３ｅ  取付け部位（照明器具用センサブロックＡ−５）
４    信号線
５    制御部
６    設定切替手段
７    照明負荷部
８    ランプ（照明負荷部７）
Ａ      照明器具用センサブロック
Ａ−１  照明器具用センサブロック
Ａ−２  照明器具用センサブロック
Ａ−３  照明器具用センサブロック
Ａ−４  照明器具用センサブロック
Ａ−５  照明器具用センサブロック
Ｂ      照明器具
Ｂ−１  照明器具
Ｂ−２  照明器具
Ｂ−３  照明器具
【図１】
2006012566.tif 000003
【図２】
2006012566.tif 000004
【図３】
2006012566.tif 000005
【図４】
2006012566.tif 000006
【図５】
2006012566.tif 000007
【図６】
2006012566.tif 000008
【図７】
2006012566.tif 000009